(57)【要約】【課題】還元剤供給手段から供給した還元剤の霧化・拡散を促進して、還元触媒の各部位に均等に還元剤を供給し、もって良好なＮＯx浄化性能を実現できる内燃機関の排気浄化装置を提供する。【解決手段】上流側ケーシング３１内に酸化触媒３４及びＤＰＦ３５を収容し、下流側ケーシング３２内にＳＣＲ触媒４０及び酸化触媒４１を収容し、両ケーシング３１，３２をパイプ３３ｂにより接続する。上流側ケーシング３１内のＤＰＦ３５の下流側に噴霧拡散室３６を形成して、尿素の噴射ノズル３８及び排ガスに旋回流を生起させるフィン装置３７を設ける。パイプ３３ｂ内に比較して場の温度が高く、且つ通路断面積が大きくて噴射距離Ｌを確保できる噴霧拡散室３６内に尿素水溶液を噴射することにより霧化・拡散を促進する。【選択図】図１
2008127997.tif 000002
【特許請求の範囲】
【請求項１】
内燃機関の排気通路に設けられて、内部に酸化触媒を収容した上流側ケーシングと、
上記排気通路の上記上流側ケーシングの下流側に配設されて、該上流側ケーシングに対し管路を介して接続され、内部に還元触媒を収容した下流側ケーシングと、
上記上流側ケーシングの上記酸化触媒の下流側に設けられて、該上流側ケーシング内に還元剤を供給する還元剤供給手段と
を備えたことを特徴とする内燃機関の排気浄化装置。
【請求項２】
上記上流側ケーシング内の上記酸化触媒と上記還元剤供給手段との間には、該還元剤供給手段に近接して排ガス中のパティキュレートマターを捕集するウォールフロー式のフィルタが配設されたことを特徴とする請求項１記載の内燃機関の排気浄化装置。
【請求項３】
上記上流側ケーシング内の還元剤供給手段の近接位置に、該上流側ケーシング内を流通する排ガスを撹拌する撹拌手段を設けたことを特徴とする請求項１または２記載の内燃機関の排気浄化装置。
【発明の詳細な説明】
【技術分野】
【０００１】
本発明は内燃機関（以下、エンジンと称する）の排気浄化装置に係り、詳しくは排気通路に還元剤供給手段を設けて下流側の還元触媒に還元剤を供給する排気浄化装置に関するものである。
【背景技術】
【０００２】
この種の還元剤を利用して排ガス中の有害成分を浄化する排気浄化装置としては、例えばＳＣＲ触媒（選択還元型ＮＯx触媒）を備えたものがある（例えば、特許文献１参照）。当該特許文献１の技術は、ディーゼルエンジンを搭載した油圧ショベルやブルドーザ等の建設機械への適用を想定したものであり、比較的全長の短い車両の特徴を考慮して、上流側のパティキュレート捕集用のＤＰＦと下流側の尿素脱硝触媒（ＳＣＲ触媒）とを並列に配置して連通室により連通させ、全体として略コ字形状をなすように構成している。尿素噴射用の供給部、及び噴射された尿素水溶液を撹拌するフローガイドは連通部に設けられ、ＤＰＦを流通した排ガス中に供給部から尿素水溶液が噴射されてフローガイドにより排ガスと撹拌された後、尿素脱硝触媒で尿素が加水分解されたＮＨ３（アンモニア）を利用してＮＯxの還元作用が奏される。
【０００３】
ところが、トラックやバス或いは小型商用車等では上記建設機械とは別の制約があり、これに起因して排気浄化装置にも異なる特性が要求される。これらの車両では比較的全長が長いことから排気浄化装置をコ字形状に構成する必要はない反面、車両のフレーム、エンジンやトランスミッション等のパワートレイン、或いは後輪のアクスル等を避けて排気浄化装置の各構成要素を配置する必要がある。
【０００４】
そこで、一般的な構成として、図３に示すように、上流側の前段酸化触媒３４及びＤＰＦ３５と下流側のＳＣＲ触媒４０及び後段酸化触媒４１とを分離して独立したケーシング３１，３２に収容し、これらのケーシング３１，３２を小径のパイプ３３ａ〜３３ｃで接続して排気通路を構成している。特許文献１の供給部に相当する尿素の噴射ノズル３８、及びフローガイドに相当する旋回流を生起させるためのフィン装置３７はＳＣＲ触媒４０の上流側に設ける必要があることから、これらの噴射ノズル３８及びフィン装置３７は上記パイプ３３ｂの箇所に設置され、パイプ３３ｂ内で排ガス中に尿素水溶液が噴射されると共に、フィン装置３７により旋回流が生起されて尿素水溶液の霧化・拡散の促進を図っている。
【特許文献１】特開２００５−１５５４０４号明細書
【発明の開示】
【発明が解決しようとする課題】
【０００５】
しかしながら、上記のように噴射ノズル３８及びフィン装置３７をパイプ３３ｂ内に設置した場合には、尿素水溶液の霧化・拡散を十分に促進できないという問題が生じた。
即ち、エンジンの排ガスは前段酸化触媒３４やＤＰＦ３５を収容したケーシング３１からパイプ３３ｂ内に流入したときに大幅に温度低下することから、尿素水溶液はそれほど高温でない雰囲気中に噴射されて十分な霧化が期待できない。さらに通路断面積が小さなパイプ３３ｂ内では噴射された尿素水溶液が僅かな噴射距離Ｌでパイプ内壁に衝突することも、霧化不良の要因になる。
【０００６】
結果として図３に示す構成では、尿素水溶液の霧化・拡散が不足してＳＣＲ触媒３６の各部位に均等にＮＨ３を供給できず、良好なＮＯx浄化性能を実現することができないという問題があった。
本発明はこのような問題点を解決するためになされたもので、その目的とするところは、還元剤供給手段から供給した還元剤の霧化・拡散を促進して、還元触媒の各部位に均等に還元剤を供給でき、もって良好な浄化性能を実現することができる内燃機関の排気浄化装置を提供することにある。
【課題を解決するための手段】
【０００７】
上記目的を達成するため、請求項１の発明は、内燃機関の排気通路に設けられて、内部に酸化触媒を収容した上流側ケーシングと、排気通路の上流側ケーシングの下流側に配設されて、上流側ケーシングに対し管路を介して接続され、内部に還元触媒を収容した下流側ケーシングと、上流側ケーシングの酸化触媒の下流側に設けられて、上流側ケーシング内に還元剤を供給する還元剤供給手段とを備えたものである。
【０００８】
従って、上流側ケーシング内に還元剤供給手段から還元剤が供給され、還元剤は管路を経て下流側ケーシングに案内されて内部の還元触媒による浄化作用に利用される。
還元触媒としては、例えば尿素またはアンモニアを利用して排ガス中のＮＯxを還元するＳＣＲ触媒（選択還元型ＮＯx触媒）や排ガス中のＮＯxを吸蔵する吸蔵型ＮＯx触媒が適用され、ＳＣＲ触媒の場合には、還元剤供給手段から還元剤として尿素またはアンモニアを供給することにより、供給した尿素またはアンモニアを利用してＳＣＲ触媒上で排ガス中のＮＯxが還元され、吸蔵型ＮＯx触媒の場合には、吸蔵型ＮＯx触媒のＮＯx吸蔵量が所定の閾値に達したときに、還元剤供給手段から還元剤として燃料を供給することにより、供給した燃料を利用してＮＯx触媒上からＮＯxが放出還元される。
【０００９】
何れの原理にしても還元触媒に良好な浄化作用を発揮させるには、還元剤の霧化・拡散を促進して還元触媒の各部位に均等に還元剤を供給する必要があり、そのためには霧化の良好な高温雰囲気中に還元剤を噴射すると共に、還元剤の噴霧を遮ることなく長い噴射距離（噴射エネルギをもって還元剤の噴霧が移動する噴射軸方向の距離）を確保することが望ましい。
【００１０】
本発明では、還元剤を供給するためのスペースとして酸化触媒を収容する上流側ケーシングを利用しており、上流側ケーシング内は下流側の管路内と比較して場の温度が高くて良好な霧化が期待でき、且つ管路内に比較して通路断面積が大きいことから還元剤の噴射距離も十分に確保できるため、還元剤の霧化・拡散を促進可能となる。
請求項２の発明は、請求項１において、上流側ケーシング内の酸化触媒と還元剤供給手段との間に、還元剤供給手段に近接して排ガス中のパティキュレートマターを捕集するウォールフロー式のフィルタが配設されたものである。
【００１１】
従って、還元剤供給手段の上流側に熱容量が大きいフィルタを配置することにより、内燃機関の運転状態に応じて排ガス温度が変動しても還元剤供給手段の位置では極端な温度低下が抑制され、これにより還元剤の霧化・拡散が一層促進される。
請求項３の発明は、請求項１または２において、上流側ケーシング内の還元剤供給手段の近接位置に、上流側ケーシング内を流通する排ガスを撹拌する撹拌手段を設けたものである。
【００１２】
従って、上流側ケーシング内を流通する排ガスが撹拌手段により撹拌されることで、排ガス中に噴射された還元剤の霧化・拡散が一層促進される。そして、撹拌手段としては、例えばフィンを利用したフィン装置により排ガスに旋回流を生起させる手法が採られるため、ある程度の排圧上昇は避けられないが、通路断面積が大きい上流側ケーシング内に撹拌手段を設けることで、排圧増大が最小限に抑制される。
【発明の効果】
【００１３】
以上説明したように請求項１の発明の内燃機関の排気浄化装置によれば、場の温度が高く且つ通路断面積が大きい上流側ケーシングに還元剤供給手段を設けることにより、霧化の良好な高温雰囲気中に還元剤を噴射すると共に還元剤の噴射距離を十分に確保し、もって還元剤の霧化・拡散を促進して還元触媒の各部位に均等に還元剤を供給して良好な浄化性能を実現することができる。
【００１４】
請求項２の発明の内燃機関の排気浄化装置によれば、請求項１に加えて、還元剤供給手段の上流側に熱容量が大きいフィルタを配置して排ガス温度の変動を抑制し、もって還元剤の霧化・拡散を一層促進することができる。
請求項３の発明の内燃機関の排気浄化装置によれば、請求項１または２に加えて、通路断面積が大きい上流側ケーシング内に撹拌手段を設けることにより、排圧増大による燃費悪化等の弊害を最小限に抑制することができる。
【発明を実施するための最良の形態】
【００１５】
以下、本発明をディーゼルエンジンの排気浄化装置に具体化した一実施形態を説明する。
図１は本実施形態のディーゼルエンジンの排気浄化装置を示す全体構成図であり、エンジン１は直列６気筒機関として構成されている。エンジン１の各気筒には燃料噴射弁２が設けられ、各燃料噴射弁２は共通のコモンレール３から加圧燃料を供給され、機関の運転状態に応じたタイミングで開弁して各気筒の筒内に燃料を噴射する。
【００１６】
エンジン１の吸気側には吸気マニホールド４が装着され、吸気マニホールド４に接続された吸気通路５には、上流側よりエアクリーナ６、ターボチャージャ７のコンプレッサ７ａ、インタクーラ８、アクチュエータ９ａにより開閉駆動される吸気絞り弁９が設けられている。また、エンジン１の排気側には排気マニホールド１０が装着され、排気マニホールド１０には上記コンプレッサ７ａと同軸上に連結されたターボチャージャ７のタービン７ｂを介して排気通路１１が接続されている。
【００１７】
エンジン１の運転中においてエアクリーナ６を経て吸気通路５内に導入された吸気はターボチャージャ７のコンプレッサ７ａにより加圧された後にインタクーラ８、吸気絞り弁９、吸気マニホールド４を経て各気筒に分配され、各気筒の吸気行程で筒内に導入される。筒内では所定のタイミングで燃料噴射弁２から燃料が噴射されて圧縮上死点近傍で着火・燃焼し、燃焼後の排ガスは排気マニホールド１０を経てタービン７ｂを回転駆動した後に排気通路１１を経て外部に排出される。
【００１８】
一方、吸気マニホールド４と排気マニホールド１０とはＥＧＲ通路１７により接続され、ＥＧＲ通路１７にはアクチュエータ１８ａにより開閉駆動されるＥＧＲ弁１８及びＥＧＲクーラ１９が設けられている。エンジン１の運転中にはＥＧＲ弁１８の開度に応じて排気マニホールド１０側から吸気マニホールド４側に排ガスの一部がＥＧＲガスとして還流される。
【００１９】
吸気マニホールド４にはアクチュエータ２０ａにより開閉駆動されるスワール弁２０が各気筒の吸気ポートに対応して設けられ、各スワール弁２０の閉弁時には筒内にスワール流が生起される。
上記排気通路１１には本発明の排気浄化装置が設けられ、排気浄化装置は上流側ケーシング３１及び下流側ケーシング３２内に収容されている。基本的に両ケーシング３１，３２及び図示しない消音器は、細いパイプ３３ａ〜３３ｃを介して相互に接続され、これらの各部材により排気通路１１が構成されている。排気通路１１の上流側から順に述べると、上記ターボチャージャ７のタービン７ｂには第１パイプ３３ａを介して上流側ケーシング３１が接続され、上流側ケーシング３１は第２パイプ３３ｂを介して下流側ケーシング３２と接続されている。下流側ケーシング３２は第３パイプ３３ｃを介して消音器と接続され、消音器の後端は大気に開放されている。
【００２０】
上流側ケーシング３１及び下流側ケーシング３２は、共に車両の前後方向に延びる略円筒形状をなしている。両ケーシング３１，３２の排ガスが流通する通路断面積は、排気浄化装置の各構成要素を収容するために上記パイプ３３ａ〜３３ｃの通路断面積と比較して格段に大きく設定されており、パイプ３３ａ〜３３ｃとの間の段差は排ガスの流通抵抗を低減すべくテーパ状に形成されている。
【００２１】
上流側ケーシング３１は、内部の上流側に前段酸化触媒３４が収容されると共に、下流側にウォールフロー式のＤＰＦ（ディーゼルパティキュレートフィルタ）３５が収容され、後述するようにＤＰＦ３５は排ガス中のパティキュレート（以下、ＰＭと称する）を捕集する作用を奏する。上流側ケーシング３１は、ＤＰＦ３５の収容位置から同一断面形状を維持したまま後方に延設されており、その結果、上流側ケーシング３１内のＤＰＦ３５の下流側には空間が形成され、以下、この空間を噴霧拡散室３６と称する。
【００２２】
噴霧拡散室３６内には排ガスに旋回流を生起させるためのフィン装置３７（撹拌手段）が設置されている。本実施形態のフィン装置３７は、上流側ケーシング３１の内周壁に立設された多数のフィン３７ａにより構成されており、各フィン３７ａが排ガス流通方向に対して周方向に所定角度をなすことにより、上流側ケーシング３１の中心軸線を中心とした旋回流を生起させる原理を採っている。
【００２３】
但し、フィン装置３７の構成はこれに限ることはなく任意に変更可能である。また、撹拌手段としては排ガスに旋回流を生起させるものに限らず、例えば上記特許文献１に記載されたフローガイドのように旋回流を生起させずに排ガスの撹拌作用を奏するものであってもよい。
上流側ケーシング３１の外周壁の一側にはフィン装置３７の下流側に位置するように噴射ノズル３８（還元剤供給手段）が設置され、噴射ノズル３８は、図示しないタンクから圧送される尿素水溶液を還元剤として噴霧拡散室３６内に任意に噴射可能に構成されている。噴射ノズル３８の噴射方向は排ガス流通方向に対して直交するように設定されると共に、上流側ケーシング３１の中心部に指向するように設定されている。また、フィン装置３７と噴射ノズル３８との間には温度センサ３９が設置され、温度センサ３９により噴霧拡散室３６内の温度が検出される。
【００２４】
一方、下流側ケーシング３２は、内部の上流側にＳＣＲ触媒４０（還元触媒）が収容されると共に、下流側に後段酸化触媒４１が収容されており、後述するようにＳＣＲ触媒４０は排ガス中のＮＯxを浄化する作用を奏する。
以上のように本実施形態の排気浄化装置は構成されているが、触媒等を収容した上流側ケーシング３１及び下流側ケーシング３２はかなりの設置スペースを要することから、車両のフレーム、エンジンやトランスミッション等のパワートレイン、或いは後輪のアクスル等を避けるように離間して配置され、相互に第２パイプ３３ｂにより接続されたレイアウトを採っている。
【００２５】
一方、上記吸気絞り弁９、排気絞り弁１２、ＥＧＲ弁１８、スワール弁２０の各アクチュエータ９ａ，１２ａ，１８ａ，２０a、燃料噴射弁２、燃料ノズル１４、噴射ノズル３８、温度センサ３９等はＥＣＵ５１（電子コントロールユニット）に接続され、センサ類からの検出情報に基づいてＥＣＵ５１により駆動制御される。例えばＥＣＵ５１は機関回転速度や負荷等のエンジン１の運転状態に基づいて燃料噴射弁２の噴射量、噴射圧、噴射時期を制御してエンジン１を運転すると共に、アクチュエータ１８ａによりＥＧＲ弁１８の開度を制御してＥＧＲ還流量を調整し、アクチュエータ２０ａによりスワール弁２０の開度を制御してスワール流を調整する。
【００２６】
また、ＥＣＵ５１はＤＰＦ３５の強制再生のためのポスト噴射、或いはＳＣＲ触媒４０によるＮＯx浄化のための噴射ノズル３８からの尿素供給等を制御しており、以下、これらのＤＰＦ３５によるパティキュレートの浄化作用及びＳＣＲ触媒４０によるＮＯxの浄化作用について述べる。
ＤＰＦ３５は排ガス中のＰＭを捕集する作用を奏し、エンジン１の排ガス温度が比較的高い運転状態では、前段酸化触媒３４の酸化作用により排ガス中のＮＯからＮＯ2が生成されて、ＮＯ2の酸化反応によりＤＰＦ３５に捕集されたＰＭが連続的に焼却除去されることで、ＤＰＦ３５の再生が図られる。一方、このような連続再生作用が得られない運転状態が継続したときには、ＥＣＵ５１によりメイン噴射の後にポスト噴射が適宜実行され、前段酸化触媒３４上に供給された燃料の酸化反応の熱によりＤＰＦ１５を昇温し、ＰＭを燃焼除去することでＤＰＦ３５が強制的に再生される。なお、強制再生でのＰＭ燃焼の際に生じるＣＯは後段酸化触媒４１によりＣＯ2に酸化される。
【００２７】
また、ＳＣＲ触媒４０はＮＯx浄化のためにＮＨ３（アンモニア）の供給を要するため、ＥＣＵ５１はエンジン１の運転状態や温度センサ３９の検出値等に基づき、噴射ノズル３８からの尿素水溶液の噴射量を制御する。噴射された尿素水溶液は排気熱及び排ガス中の水蒸気により加水分解されてＮＨ３を生成し、このＮＨ３によりＳＣＲ触媒４０上では排ガス中のＮＯxが無害なＮ２に還元されてＮＯxの浄化が行われる一方、このときの余剰ＮＨ3が後段酸化触媒４１によりＮＯに酸化される。
【００２８】
なお、ＳＣＲ触媒４０の上流側に尿素をＮＨ３に加水分解する作用を奏する加水分解触媒を配置してもよいし、或いは、噴射ノズル３８から尿素水溶液に代えてアンモニア水溶液を噴射するようにしてもよい。
そして、本実施形態では上流側ケーシング３１に形成した噴霧拡散室３６に噴射ノズル３８を設け、この噴霧拡散室３６内に噴射ノズル３８から尿素水溶液を噴射しているため、以下の作用効果が得られる。
【００２９】
まず、ＳＣＲ触媒４０にＮＯx浄化性能を発揮させるには、尿素水溶液の霧化・拡散を促進してＳＣＲ触媒４０の各部位に均等にＮＨ３を供給する必要があり、そのためには霧化の良好な高温雰囲気中で尿素水溶液を噴射すると共に、尿素水溶液の噴霧を遮ることなく長い噴射距離Ｌ（噴射エネルギをもって尿素水溶液の噴霧が移動する噴射軸方向の距離）を確保することが望ましい。
【００３０】
ここで、上流側ケーシング３１の噴霧拡散室３６内は、下流側の第２パイプ３３ｂ内等と比較して本来場の温度が高い傾向がある。図２は排気浄化装置の各位置ａ〜ｆでの過渡モード運転時の平均温度を図１の構成図と対応させて示した図であり、前段酸化触媒３４の入口温度ａに対して出口温度ｂは、前段酸化触媒４３の酸化作用及び前段酸化触媒４３の熱容量の作用によって上昇し、ＤＰＦ３５を通過後の噴霧拡散室３６内の温度ｃも略同等に保たれているのに対し、その下流側の第２パイプ３３ｂ内の温度ｄはかなり低下していることが判る。よって、図３に示す従来技術のように尿素の噴射ノズル３８を第２パイプ３３ｂに配置した場合に比較して、噴射ノズル３８を噴霧拡散室３６に配置した本実施形態では、霧化の良好な高温雰囲気中に尿素水溶液が噴射されることになる。
【００３１】
しかも、上流側ケーシング３１内において噴射ノズル３８の上流側に位置するＤＰＦ３５は大きな熱容量を有して、下流側の噴霧拡散室３６内の温度変動を抑制する作用を奏することから、エンジン１の運転状態に応じて排ガス温度が変動しても噴射ノズル３８の位置では極端な温度低下が抑制される。以上の温度的な要因により、噴射ノズル３８から噴霧拡散室３６内に噴射された尿素水溶液が良好に霧化・拡散される。
【００３２】
また、前段酸化触媒３４やＤＰＦ３５を収容する上流側ケーシング３１は第２パイプと比較して格段に通路断面積が大きく、尿素水溶液が噴射ノズル３８から広い噴霧拡散室３６内に向けて噴射されることから元々噴射距離Ｌを確保し易い。しかも、噴射ノズル３８による尿素水溶液の噴射方向が下流側ケーシング３１の中心部に指向していることから、噴霧拡散室３６内のスペースが噴射距離Ｌの確保のために最大限に利用される。その結果、十分な尿素水溶液の噴射距離Ｌを確保でき、この噴射距離Ｌに関する要因も尿素水溶液の霧化・拡散に大きく貢献する。
【００３３】
結果として、本実施形態の排気浄化装置によれば、尿素水溶液の霧化・拡散を十分に促進してＳＣＲ触媒４０の各部位に均等にＮＨ３を供給でき、もって良好なＮＯx浄化性能を実現することができる。
一方、本実施形態では、噴射ノズル３８のみならずフィン装置３７も通路断面積の大きな噴霧拡散室３６内に配置しており、フィン装置３７の設置スペースに余裕が生じることに起因して、尿素水溶液の良好な霧化・拡散と排圧増加の抑制とを高次元で両立できるという利点も得られる。
【００３４】
即ち、排ガスに強い旋回流を生起可能なようにフィン装置３７のフィン形状を設定すると、尿素水溶液の霧化・拡散には好適な反面、排圧が増大する傾向となり、逆に排圧増大を抑制すべく旋回流を弱めるようにフィン形状を設定すると、尿素水溶液の霧化・拡散が不十分になり、両者はトレードオフの関係にある。図３に示す従来の排気浄化装置では、元々通路断面積の小さなパイプ３３ｂ内がフィン装置３７の設置によりさらに狭められて排圧増大を引き起こし易い一方、フィン装置３７自体が小型な上に形状も制限されるため、それほど強い旋回流は期待できず、両者の要件を低次元でしか両立できない。
【００３５】
これに対して本実施形態では噴霧拡散室３６内に大型のフィン装置３７を配置しているため、フィン装置３７の設置後も噴霧拡散室３６の通路断面積は十分に確保できると共に、フィン装置３７の大型化やフィン形状の最適化により強い旋回流を生起でき、両者の要件を高次元で両立できる。従って、排圧増加による燃費悪化等の弊害を最小限に抑制した上で、強い旋回流により尿素水溶液の霧化・拡散を促進してＮＯx浄化性能を一層向上することができる。この作用効果は撹拌手段としてフィン装置３７を用いた場合に限らず、例えば撹拌手段として上記特許文献１に記載されたフローガイドを設けた場合でも、広い噴霧拡散室３６内にフローガイドを配置することで、上記フィン装置３７の場合と同様の利点を得ることができる。
【００３６】
以上で実施形態の説明を終えるが、本発明の態様はこの実施形態に限定されるものではない。例えば上記実施形態では、ＮＯx浄化用にＳＣＲ触媒４０を備えたディーゼルエンジン１の排気浄化装置に具体化したが、還元剤の供給を要する還元触媒を備えたエンジンであればこれに限ることはない。例えば排ガス中のＮＯxを吸蔵する吸蔵型ＮＯx触媒を排気通路に備え、吸蔵したＮＯxをＮＯx触媒から放出還元するために、還元剤として燃料を排気通路内に噴射するＮＯxパージを定期的に実行する必要があるエンジンに適用してもよい。この場合には図１においてＳＣＲ触媒４０を吸蔵型ＮＯx触媒に置換した構成となるが、上流側ケーシング３１の噴霧拡散室３６内に燃料供給用の噴射ノズルを配置することで、上記実施形態と同様に燃料の霧化・拡散を促進できる作用効果が得られる。
【００３７】
また、上記実施形態では、フィン装置３７を噴射ノズル３８の上流側に配置したが、噴射ノズル３８とフィン装置３７との位置関係はこれに限定されず、逆にフィン装置３７に対して噴射ノズル３８を上流側に配置してもよいし、フィン装置３７を省略してもよい。
【図面の簡単な説明】
【００３８】
【図１】実施形態のディーゼルエンジンの排気浄化装置を示す全体構成図である。
【図２】排気浄化装置の各位置ａ〜ｆでの平均温度を図１の構成図と対応させて示した図である。
【図３】パイプにフィン装置及び噴射ノズルを配置した従来技術の排気浄化装置を示す構成図である。
【符号の説明】
【００３９】
１      エンジン（内燃機関）
１１    排気通路
３１    上流側ケーシング
３２    下流側ケーシング
３３ｂ  第２パイプ
３４    前段酸化触媒
３５    ＤＰＦ（フィルタ）
３７    フィン装置（撹拌手段）
３８    噴射ノズル（還元剤供給手段）
４０    ＳＣＲ触媒（還元触媒）
【図１】
2008127997.tif 000003
【図２】
2008127997.tif 000004
【図３】
2008127997.tif 000005